(57)【特許請求の範囲】
【請求項１】
管状をなすベース脚の前後両端をそれぞれ支持して、床面から所要の高さに保持する受け部と、この受け部に、ベース脚の前後両端の開口を閉塞するように付設した閉塞部とを備える脚端具であって、前記受け部の左右両側面を、ベース脚の左右両側面よりも、外方に突出させるとともに、前記受け部の前後方向の内端を、下部よりも上部が内方に位置するように、傾斜させた傾斜部とし、この傾斜部の下部に、下方と内方とが開口する凹所を設け、かつベース脚の下側に、左右幅が受け部よりも小さいアジャスターを、前記凹所に隣接させて凹所よりも前後方向の内方に取り付けたことを特徴とする脚端具。
【請求項２】
前記受け部の前後方向の外側面を、前記閉塞部の外側面よりも、外方に突出させた請求項１記載の脚端具。
【請求項３】
前記受け部の底部に、凹所を設け、この凹所内に、ベース脚と受け具を連結するねじの頭部を、収めた請求項１または２記載の脚端具。
【発明の詳細な説明】
【０００１】
【発明の属する技術分野】
本発明は、管状のベース脚における脚端具に関する。
【０００２】
【従来の技術】
従来、管状のベース脚における脚端具には、ベース脚の前後両端の下側に取り付ける受け部と、ベース脚の前後両端の開口を閉塞させる閉塞部とを、個別に形成したものが公知であるが、部品数が多く、組み付けなどに多くの手数を必要とする。
【０００３】
また、ベース脚の開口を、閉塞させる閉塞部と受け部とを、一体に形成したものも一部に知られているが、受け部は、閉塞部の下側にベース脚の左右幅よりも小さいものが付設されているに過ぎない。
【０００４】
そのため、ベース脚の左右外側面が、他のベース脚、または、壁面、その他に当り易く、その際に衝撃を受け、ベース脚の表面処理がメッキなどの高度な処理がなされていない場合、たとえば塗装処理の場合には、塗装の剥離等を起こし易い。
【０００５】
【発明が解決しようとする課題】
本発明は、上述の問題点に鑑みてされたもので、ベース脚の左右外側面を、他のベース脚、または、壁面、その他に当たらないように保護して、塗装処理されている場合でも、塗装の剥離等を起こすことがないようにするとともに、ベース脚への装着に多くの手数を必要としない脚端具を提供することを目的としている。
【０００６】
【課題を解決するための手段】
本発明によれば、上述の課題は、次のようにして解決される。
(１)管状をなすベース脚の前後両端をそれぞれ支持して、床面から所要の高さに保持する受け部と、この受け部に、ベース脚の前後両端の開口を閉塞するように付設した閉塞部とを備える脚端具であって、前記受け部の左右両側面を、ベース脚の左右両側面よりも、外方に突出させるとともに、前記受け部の前後方向の内端を、下部よりも上部が内方に位置するように、傾斜させた傾斜部とし、この傾斜部の下部に、下方と内方とが開口する凹所を設け、かつベース脚の下側に、左右幅が受け部よりも小さいアジャスターを、前記凹所に隣接させて凹所よりも前後方向の内方に取り付ける。
【０００７】
(２)上記(１)項において、受け部の前後方向の外側面を、前記閉塞部の外側面よりも、外方に突出させる。
【０００８】
(３)上記(１)項または(２)項において、受け部の底部に、凹所を設け、この凹所内に、ベース脚と受け具を連結するねじの頭部を、収める。
【０００９】
【発明の実施の形態】
以下、本発明の実施形態を、図面に基づいて説明する。
【００１０】
図１は、本発明を適用した、例えば学校等で使用される、ベース脚が塗装処理された机の下方斜視図、図２は、図１に示した机におけるベース脚の前端に、脚端具を取り付ける前の状態の拡大上方斜視図、図３は、同じく机のベース脚の前端に、脚端具を取り付けた後の状態の拡大縦断面図、図４は、図３のIV−IVにおける断面図、図５は、脚端具の背面図、図６は、脚端具の平面図である。
【００１１】
図１に示す机(１)は、天板(２)と、左右１対の脚体(３)とを基本にして構成され、脚体(３)は、管状の脚柱(４)の下端に、同じく管状のベース脚(５)の後端(5b)を、結合して形成されている。ベース脚(５)の前端(5a)および後端(5b)には、それぞれ、本発明の脚端具(６)を取り付けてある。
【００１２】
脚端具(６)は、ベース脚(５)の前後両端(5a)(5b)をそれぞれ支持して、所要の高さに保持する受け部(７)と、この受け部(７)に、ベース脚(５)の開口(８)を、閉塞するように付設した閉塞部(９)とを備えている。
【００１３】
前記受け部(７)は、ベース脚(５)の左右の両側面よりも、外方に位置する、側面視がほぼ逆台形状の左右の両側板(7a)と、前記閉塞部(９)の外側面よりも、外方に位置する外側板(7b)とで３方を囲まれた内部に、前記ベース脚(５)を支持する下向きに湾曲した支持板(7c)が設けられ、かつ、この受け部(７)の内端は、下部よりも上部が内方に位置するように、傾斜する傾斜部(10)としてある。
【００１４】
また、受け部(７)の底部には、凹所(11)が設けられ、受け部(７)の内端側は開口されている。
【００１５】
前記閉塞部(９)は、ベース脚(５)の前後端(5a)(5b)の開口(８)を閉塞し得る大きさの円状閉塞板(12)の内側面に、前記開口(８)に内嵌させる短寸の筒状体(13)を設け、この筒状体(13)の外周面に、前後方向の小突条(14)を複数本付設して形成され、閉塞部(９)における円状閉塞板(12)の外側面を、受け部(７)における前記外側板(7b)の内側面に固着して閉塞部(９)を受け部(７)に一体化させてある。
【００１６】
脚端具(６)をベース脚(５)の前後端(5a)(5b)に装着するには、前後端(5a)(5b)の下面を受け部(７)における支持板(7c)上に載置するとともに、閉塞部(９)における筒状体(13)を開口(８)に内嵌させた後、受け部(７)の底部に設けられた凹部(11)から連結用ねじ(15)を、受け部(７)の支持板(7c)と、ベース脚(５)との重合部にねじ込むことによって、容易に脚端具(６)をベース脚(５)の前後端(5a)(5b)に装着させることができる。
【００１７】
脚端具(６)の内端は開口され、この内端の前記傾斜部(10)の下部には、下方と内方とが開口する凹所(16)が設けられている。この凹所(16)に、左右幅が受け部(７)よりも小さいアジャスター(17)を、隣接させて、ベース脚(５)の下側に取り付けてある。なお、本明細書において、「隣接」とは、図３に示すように、アジャスター(17)を凹所(16)に当接させない状態で隣接することを意味する。
【００１８】
前後両端(5a)(5b)に脚端具(６)を備えるベース脚(５)は、各受け部(７)の下面で床面(18)に接し、ベース脚(５)の下面を、床面(18)より離隔して所要の高さに保持するので、床面(18)の凹凸などの状態には関係なく、机(１)を安定よく設置することができる。
【００１９】
【発明の効果】
本発明によると、次のような効果を奏する。
（１）請求項１記載の発明によれば、受け部と閉塞部とが一体化されているため多くの手数を必要とせずに、ベース脚に装着することができ、かつベース脚の両端の支持と、その開口を閉塞して、見栄えをよくすることができるとともに、ベース脚の側方から、他のベース脚、壁面、その他が当たろうとする場合にも、脚端具の側板が、相手を受けて、ベース脚の側面には、当たらないように保護するため、塗装処理などのベース脚でも、剥離等を起すことがない。
また、受け部の前後方向の内端を、下部よりも上部が内方に位置するように、傾斜させた傾斜部としたため、脚端具の床への接触面積を小さくし、かつベース脚を、支持する面積を大きくして、ベース脚への脚端具の安定した取り付けを行うことができるとともに、デザイン上も良好なものとなるようにすることができる。
さらに、脚端具に隣接して、アジャスターが取り付けられ、かつアジャスターよりも脚端具の左右幅が大きいため、ベース脚の側方から、他のベース脚、壁面、その他の物が当たろうとする場合にも、脚端具の側板が、相手を受けて、アジャスターには、当たらないように保護するためアジャスターの損傷を防止することができる。
【００２０】
（２）請求項２記載の発明によれば、ベース脚に前方から物が当たろうとする場合にも、受け部の外側板が、相手を受けて、閉塞部には、当たらないように保護するため、閉塞部の損傷を防止することができる。
【００２１】
（３）請求項３記載の発明によれば、ベース脚と、脚端具とのねじによる連結を、ねじの頭部が、外部に露出しないようにして、見栄えよく行うことができる。
【図面の簡単な説明】
【図１】  本発明を適用した、例えば学校等で使用される机の下方斜視図である。
【図２】  図１に示した机のベース脚の端部に、脚端具を取り付ける前の状態の拡大上方斜視図である。
【図３】  同じく机のベース脚の端部に、脚端具を取り付けた後の状態の拡大縦断面図である。
【図４】  図３のIV−IVにおける断面図である。
【図５】  脚端具の背面図である。
【図６】  脚端具の平面図である。
【符号の説明】
(１)机
(２)天板
(３)脚体
(４)脚柱
(５)ベース脚
(5a)前端
(5b)後端
(６)脚端具
(７)受け部
(7a)左右両側板
(7b)外側板
(7c)支持板
(８)開口部
(９)閉塞部
(10)傾斜部
(11)凹所
(12)円状閉塞板
(13)筒状体
(14)小突条
(15)連結用ねじ
(16)凹所
(17)アジャスター
(18)床面
【図１】
0004061102.tif 000002
【図２】
0004061102.tif 000003
【図３】
0004061102.tif 000004
【図４】
0004061102.tif 000005
【図５】
0004061102.tif 000006
【図６】
0004061102.tif 000007